【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
移動無線通信ネットワークにおけるサービス品質の管理方法であって、地上インターフェースにおける通信プロトコルが、無線ネットワーク層と、トランスポートネットワーク層とを含み、サービス品質の管理が、無線ネットワーク層に関連するサービス品質の管理と、トランスポートネットワーク層に関連するサービス品質の管理とを含んでおり、前記方法が、
第一のネットワークエレメントと呼ばれるネットワークエレメントが、第二のネットワークエレメントと呼ばれる他のネットワークエレメントに、無線ネットワーク層の信号プロトコルにしたがって、トランスポートＱｏＳとしても知られるトランスポートネットワーク層のためのサービス品質を示す少なくとも一つのパラメータを知らせるステップと、
第二のネットワークエレメントが、トランスポートＱｏＳの管理のために前記少なくとも一つのパラメータを使用するステップとを含むことを特徴とする、方法。
【請求項２】
前記第一のネットワークエレメントが、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）である、請求項１に記載の方法。
【請求項３】
前記第二のネットワークエレメントが、ノードＢ、すなわち基地局である、請求項２に記載の方法。
【請求項４】
前記無線ネットワーク層の信号プロトコルが、ＣＲＮＣ／ノードＢのインターフェースに適用可能なＮＢＡＰ（Ｎｏｄｅ  Ｂ  Ａｐｐｌｉｃａｔｉｏｎ  Ｐａｒｔ  Ｐｒｏｔｏｃｏｌ）信号プロトコルである、請求項２または３に記載の方法。
【請求項５】
前記第二のネットワークエレメントが、アップリンク方向の伝送のために、ＣＲＮＣ／ノードＢのインターフェースで前記少なくとも一つのトランスポートＱｏＳの管理パラメータを使用する、請求項２から４のいずれか一項に記載の方法。
【請求項６】
前記第一のネットワークエレメントが、ＳＲＮＣ（Ｓｅｒｖｉｎｇ  Ｒａｄｉｏ  Ｎｅｔｗｏｒｋ  Ｃｏｎｔｒｏｌｌｅｒ）である、請求項１に記載の方法。
【請求項７】
前記第二のネットワークエレメントが、ＤＲＮＣ（Ｄｒｉｆｔ  Ｒａｄｉｏ  Ｎｅｔｗｏｒｋ  Ｃｏｎｔｒｏｌｌｅｒ）である、請求項６に記載の方法。
【請求項８】
前記無線ネットワーク層の信号プロトコルが、ＳＲＮＣ／ＤＲＮＣのインターフェースに適用可能なＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）信号プロトコルである、請求項６または７に記載の方法。
【請求項９】
前記第二のネットワークエレメントが、アップリンク方向の伝送のためにＳＲＮＣ／ＤＲＮＣのインターフェースで、および／または、ダウンリンク方向の伝送のためにＤＲＮＣ／ノードＢの（Ｉｕｂ）インターフェースで、前記少なくとも一つのトランスポートＱｏＳの管理パラメータを使用する、請求項６から８のいずれか一項に記載の方法。
【請求項１０】
前記トランスポートＱｏＳを示す少なくとも一つのパラメータが、トランスポートＱｏＳレベルを示すように構成された特定のパラメータに対応する、請求項１から９のいずれか一項に記載の方法。
【請求項１１】
前記トランスポートＱｏＳを示す少なくとも一つのパラメータが、トランスポートＱｏＳのパラメータとして同様に使用可能な少なくとも一つのＲＡＢ（Ｒａｄｉｏ  Ａｃｃｅｓｓ  Ｂｅａｒｅｒ）パラメータに対応する、請求項１から９のいずれか一項に記載の方法。
【請求項１２】
前記トランスポートＱｏＳパラメータとして同様に使用可能な少なくとも一つのＲＡＢ（Ｒａｄｉｏ  Ａｃｃｅｓｓ  Ｂｅａｒｅｒ）パラメータが、転送遅延である、請求項１１に記載の方法。
【請求項１３】
前記トランスポートＱｏＳパラメータとして同様に使用可能な少なくとも一つのＲＡＢ（Ｒａｄｉｏ  Ａｃｃｅｓｓ  Ｂｅａｒｅｒ）パラメータが、トラフィック優先制御である、請求項１１に記載の方法。
【請求項１４】
前記トランスポートＱｏＳパラメータとして同様に使用可能な少なくとも一つのＲＡＢ（Ｒａｄｉｏ  Ａｃｃｅｓｓ  Ｂｅａｒｅｒ）パラメータが、トラフィック分類である、請求項１１に記載の方法。
【請求項１５】
前記トランスポートＱｏＳパラメータとして同様に使用可能な少なくとも一つのＲＡＢ（Ｒａｄｉｏ  Ａｃｃｅｓｓ  Ｂｅａｒｅｒ）パラメータが、ＲＡＮＡＰプロトコルからＮＢＡＰプロトコルへ、またはＲＡＮＡＰプロトコルからＲＮＳＡＰプロトコルへ、コピーまたは移される、請求項１１から１４のいずれか一項に記載の方法。
【請求項１６】
前記トランスポートＱｏＳを示す少なくとも一つのパラメータが、トランスポートＱｏＳレベルに、またはトランスポートＱｏＳパラメータとして同様に使用可能な少なくとも一つのＲＡＢ（Ｒａｄｉｏ  Ａｃｃｅｓｓ  Ｂｅａｒｅｒ）パラメータに、結合可能な少なくとも一つのパラメータである、請求項１から９のいずれか一項に記載の方法。
【請求項１７】
トランスポートＱｏＳレベルに、またはトランスポートＱｏＳパラメータとして同様に使用可能な少なくとも一つのＲＡＢ（Ｒａｄｉｏ  Ａｃｃｅｓｓ  Ｂｅａｒｅｒ）パラメータに、結合可能な前記少なくとも一つのパラメータが、時間調整パラメータであり、該時間調整パラメータのより低い値は、転送遅延および／またはトラフィック優先制御の制約がより多い接続に割り当てられ、該時間調整パラメータのより高い値は、転送遅延および／またはトラフィック優先制御の制約がより少ない接続に割り当てられる、請求項１６に記載の方法。
【請求項１８】
前記時間調整パラメータが、ＴＯＡＷＳ（Ｔｉｍｅ  Ｏｆ  Ａｒｒｉｖａｌ  Ｗｉｎｄｏｗ  Ｓｔａｒｔ）パラメータである、請求項１７に記載の方法。
【請求項１９】
トランスポートＱｏＳレベルに、またはトランスポートＱｏＳパラメータとして同様に使用可能な少なくとも一つのＲＡＢ（Ｒａｄｉｏ  Ａｃｃｅｓｓ  Ｂｅａｒｅ））パラメータに、結合可能な前記少なくとも一つのパラメータが、一つの接続に割り当てられる専用チャンネル（ＤＣＨ、Ｄｅｄｉｃａｔｅｄ  Ｃｈａｎｎｅｌ）数を示す少なくとも一つのパラメータを含み、数の多い専用チャンネルが、転送遅延および／またはトラフィック優先制御の制約の多い接続に割り当てられ、数の少ない専用チャンネルが、転送遅延および／またはトラフィック優先制御の制約のより少ない接続に割り当てられる、請求項１６に記載の方法。
【請求項２０】
請求項１から１９のいずれか一項に記載の方法の実施手段を含む、ネットワークエレメント。
【請求項２１】
無線ネットワークコントローラＣＲＮＣであって、無線ネットワークコントローラＣＲＮＣとノードＢとの間のＩｕｂインターフェースに適用可能なＮＢＡＰプロトコルに対応する無線ネットワーク層の信号プロトコルにしたがってノードＢに、トランスポートネットワーク層のためのサービス品質を示す少なくとも一つのパラメータを知らせるための手段を含む無線ネットワークコントローラ。
【請求項２２】
無線リンクセットアップ要求（Ｒａｄｉｏ  Ｌｉｎｋ  Ｓｅｔ−ｕｐ  Ｒｅｑｕｅｓｔ）メッセージで前記少なくとも一つのパラメータを知らせるための手段を含む、請求項２１に記載の無線ネットワークコントローラ。
【請求項２３】
前記少なくとも一つのパラメータが、トランスポートＱｏＳレベルを示すように構成された特定のパラメータである、請求項２１または２２に記載の無線ネットワークコントローラ。
【請求項２４】
無線ネットワークコントローラＳＲＮＣであって、無線ネットワークコントローラＳＲＮＣと無線ネットワークコントローラＤＲＮＣとの間のＩｕｒインターフェースに適用可能なＲＮＳＡＰプロトコルに対応する無線ネットワーク層の信号プロトコルにしたがって無線ネットワークコントローラＤＲＮＣに、トランスポートネットワーク層のためのサービス品質を示す少なくとも一つのパラメータを知らせるための手段を含む無線ネットワークコントローラ。
【請求項２５】
無線リンクセットアップ要求（Ｒａｄｉｏ  Ｌｉｎｋ  Ｓｅｔ−ｕｐ  Ｒｅｑｕｅｓｔ）メッセージで前記少なくとも一つのパラメータを知らせるための手段を含む、請求項２４に記載の無線ネットワークコントローラ。
【請求項２６】
前記少なくとも一つのパラメータが、トランスポートＱｏＳレベルを示すように構成された特定のパラメータである、請求項２４または２５に記載の無線ネットワークコントローラ。
【請求項２７】
無線ネットワークコントローラＤＲＮＣであって、
無線ネットワークコントローラＳＲＮＣと無線ネットワークコントローラＤＲＮＣとの間のＩｕｒインターフェースに適用可能なＲＮＳＡＰプロトコルに対応する無線ネットワーク層の信号プロトコルにしたがって、トランスポートネットワーク層のためのサービス品質を示す少なくとも一つのパラメータを、無線ネットワークコントローラＳＲＮＣから受信するための手段と、
無線ネットワークコントローラＳＲＮＣと無線ネットワークコントローラＤＲＮＣとの間のＩｕｒインターフェースでアップリンク方向に、および／または、無線ネットワークコントローラＤＲＮＣとノードＢとの間のＩｕｂインターフェースでダウンリンク方向に、伝送のためのトランスポートのサービス品質に前記少なくとも一つのパラメータを使用するための手段とを含む無線ネットワークコントローラ。
【請求項２８】
無線リンクセットアップ要求（Ｒａｄｉｏ  Ｌｉｎｋ  Ｓｅｔ−ｕｐ  Ｒｅｑｕｅｓｔ）メッセージで前記少なくとも一つのパラメータを受信するための手段を含む、請求項２７に記載の無線ネットワークコントローラ。
【請求項２９】
前記少なくとも一つのパラメータが、トランスポートＱｏＳレベルを示すように構成された特定のパラメータに対応する、請求項２７または２８に記載の無線ネットワークコントローラ。
【請求項３０】
ノードＢであって、
無線ネットワークコントローラＣＲＮＣとノードＢとの間のＩｕｂインターフェースに適用可能なＮＢＡＰプロトコルに対応する無線ネットワーク層の信号プロトコルにしたがって、トランスポートネットワーク層のためのサービス品質を示す少なくとも一つのパラメータを、無線ネットワークコントローラＣＲＮＣから受信するための手段と、
無線ネットワークコントローラＣＲＮＣとノードＢとの間のＩｕｂインターフェースでアップリンク方向に、伝送のためのトランスポートのサービス品質を管理するために前記少なくとも一つのパラメータを使用するための手段とを含むノードＢ。
【請求項３１】
無線リンクセットアップ要求（Ｒａｄｉｏ  Ｌｉｎｋ  Ｓｅｔ−ｕｐ  Ｒｅｑｕｅｓｔ）メッセージで前記少なくとも一つのパラメータを受信するための手段を含む、請求項３０に記載のノードＢ。
【請求項３２】
前記少なくとも一つのパラメータが、トランスポートＱｏＳレベルを示すように構成された特定のパラメータに対応する、請求項３０または３１に記載のノードＢ。